(57)【要約】【課題】  音声ガイダンスにより誤送信を防止することができ、音声ガイダンスを必要としないユーザにとっても煩わしさを低減できるファクシミリ装置を提供することを目的とする。【解決手段】  音声ガイダンスを出力する場合には、音声ガイダンス生成部４６がワンタッチダイヤルリスト記憶部５Ａから宛先名を読み出して音声ガイダンスを生成し、生成された音声ガイダンスを音声出力制御部４５がスピーカ１０８から出力する。発信制御部４３は、音声ガイダンスの出力終了後に発信を行うので、音声ガイダンスにより送信先を確認することができ、誤送信を防止することができる。また、音声ガイダンスを出力しない場合には、発信準備期間の経過後に送信先へ発信を行うことにより、音声ガイダンスを必要としないユーザにとって、発信が開始されるのが遅くなることによる煩わしさを低減することができる。【選択図】  図２
2008022183.tif 000002
【特許請求の範囲】
【請求項１】
電話番号に文字情報を対応付けて記憶する文字情報記憶部と、
ユーザが、上記文字情報記憶部に保持されている電話番号のいずれかを送信先として指定する電話番号指定手段と、
ユーザの送信操作から所定の発信準備期間が経過した後に上記送信先への発信が可能となる発信手段と、
上記発信先に対応付けられた文字情報を含む音声ガイダンスであって、上記送信操作に基づいて開始され、上記発信準備期間よりも遅く終了する音声ガイダンスを出力する音声出力手段と、
上記音声ガイダンスを出力させるか否かをユーザに選択させるためのガイダンス選択手段と、
ユーザ操作に基づいて、上記発信手段による発信前に上記送信操作を取り消す発信キャンセル手段とを備え、
上記発信手段は、上記音声ガイダンスが出力される場合には、音声ガイダンスの出力終了後に発信を行い、上記音声ガイダンスが出力されない場合には、上記発信準備期間の経過後に発信を行うことを特徴とするファクシミリ装置。
【請求項２】
上記音声ガイダンスが出力される場合に、上記発信先に対応付けられた文字情報が上記文字情報記憶部に記憶されていないときに、文字情報を入力するための文字情報入力画面を表示させる表示手段を備えたことを特徴とする請求項１に記載のファクシミリ装置。
【請求項３】
上記音声出力手段は、上記文字情報入力画面が表示された後、ユーザ操作に基づいて文字情報が入力された場合に、その文字情報を含む音声ガイダンスを出力することを特徴とする請求項２に記載のファクシミリ装置。
【発明の詳細な説明】
【技術分野】
【０００１】
本発明は、ファクシミリ装置に係り、さらに詳しくは、予め記憶されている電話番号を読み出して送信先に指定することができるファクシミリ装置に関する。
【背景技術】
【０００２】
ファクシミリ装置の中には、いわゆるワンタッチダイヤルキーのように、送信先ごとに割り当てられた複数のキーを備えているものがある。このようなファクシミリ装置では、上記複数のキーのいずれかを操作することにより、そのキーに対応付けて予め記憶されている電話番号を読み出し、その電話番号を送信先に指定してファクシミリ送信を行うことができる。
【０００３】
ワンタッチダイヤルキーを用いて送信先を指定するような構成の場合、テンキーを用いて電話番号を直接入力する場合に比べて、送信先を指定する操作が容易である。しかし、電話番号を直接入力する場合のように電話番号を確認しながら送信先を指定することができないため、キー操作を誤った場合には、予定とは異なる送信先にファクシミリ送信され、そのことに気付かない場合がある。
【０００４】
ファクシミリ装置の中には、ワンタッチダイヤルキーを用いて送信先を指定した場合に、その送信先に対応付けて予め記憶されている宛先名などが表示部に表示されるようになっているものがある。このようなファクシミリ装置であれば、ワンタッチダイヤルキーを用いて送信先を指定した後、表示部に表示されている宛先名を確認することにより、誤送信を未然に防止することができる。
【０００５】
しかし、ユーザの中には、表示部に表示される宛先名を確認する作業が面倒と感じる者もいる。そこで、宛先名を音声で出力することにより、表示部を見なくても送信先を確認することができるような構成が考えられる。特許文献１には、宛先名を音声で出力することができるような車上電話装置の技術が開示されている。
【特許文献１】特開昭５９−３４７３５号公報
【発明の開示】
【発明が解決しようとする課題】
【０００６】
しかしながら、ファクシミリ送信を行う度ごとに指定された宛先名が音声で出力されると、ユーザが煩わしいと感じるおそれがある。また、音声ガイダンスにより送信先の間違いに気付いた場合に、送信先への発信をキャンセルすることができるようにするためには、音声ガイダンスの終了後に発信を開始するような構成にする必要がある。したがって、音声ガイダンスを必要としないユーザにとっては、ファクシミリ送信にかかる時間が長くなってしまい、ますます煩わしいと感じるおそれがある。
【０００７】
本発明は、上記の事情に鑑みてなされたものであり、音声ガイダンスにより誤送信を防止することができ、音声ガイダンスを必要としないユーザにとっても煩わしさを低減できるファクシミリ装置を提供することを目的とする。
【課題を解決するための手段】
【０００８】
第１の本発明によるファクシミリ装置は、電話番号に文字情報を対応付けて記憶する文字情報記憶部と、ユーザが、上記文字情報記憶部に保持されている電話番号のいずれかを送信先として指定する電話番号指定手段と、ユーザの送信操作から所定の発信準備期間が経過した後に上記送信先への発信が可能となる発信手段と、上記発信先に対応付けられた文字情報を含む音声ガイダンスであって、上記送信操作に基づいて開始され、上記発信準備期間よりも遅く終了する音声ガイダンスを出力する音声出力手段と、上記音声ガイダンスを出力させるか否かをユーザに選択させるためのガイダンス選択手段と、ユーザ操作に基づいて、上記発信手段による発信前に上記送信操作を取り消す発信キャンセル手段とを備え、上記発信手段は、上記音声ガイダンスが出力される場合には、音声ガイダンスの出力終了後に発信を行い、上記音声ガイダンスが出力されない場合には、上記発信準備期間の経過後に発信を行うように構成される。
【０００９】
このような構成によれば、音声ガイダンスが出力される場合と出力されない場合とで、送信先へ発信を行うタイミングを異ならせることができる。音声ガイダンスが出力される場合には、音声ガイダンスの出力終了後に発信が行われるので、音声ガイダンスにより送信先を確認することができる。これにより、送信先の誤りに気付いた場合には、発信キャンセル手段で発信指示を取り消すことにより、誤送信を防止することができる。
【００１０】
また、音声ガイダンスが出力されない場合には、発信準備期間の経過後に送信先へ発信を行うことができる。これにより、音声ガイダンスが出力される場合よりも早期に発信を開始させることができるので、音声ガイダンスを必要としないユーザにとって、発信が開始されるのが遅くなることによる煩わしさを低減することができる。
【００１１】
第２の本発明によるファクシミリ装置は、上記音声ガイダンスが出力される場合に、上記発信先に対応付けられた文字情報が上記文字情報記憶部に記憶されていないときに、文字情報を入力するための文字情報入力画面を表示させる表示手段を備えて構成される。
【００１２】
このような構成によれば、音声ガイダンスとして出力すべき文字情報が記憶されていない場合に、文字情報入力画面でユーザに文字情報を入力させることができる。これにより、ユーザは、送信先として指定した電話番号に対応付けて文字情報を入力することができ、電話番号と文字情報との対応関係を確認することができるので、誤送信をより確実に防止することができる。
【００１３】
第３の本発明によるファクシミリ装置は、上記音声出力手段が、上記文字情報入力画面が表示された後、ユーザ操作に基づいて文字情報が入力された場合に、その文字情報を含む音声ガイダンスを出力するように構成される。
【００１４】
このような構成によれば、ユーザが送信先に対応する文字情報を入力した場合に、その文字情報を含む音声ガイダンスが出力されるので、ユーザは入力した文字情報を確認することができる。これにより、送信先の電話番号と文字情報との対応関係を再度確認することができるので、誤送信をさらに確実に防止することができる。
【発明の効果】
【００１５】
本発明によれば、音声ガイダンスが出力される場合には、音声ガイダンスの出力終了後に発信が行われるので、音声ガイダンスにより送信先を確認することができ、誤送信を防止することができる。また、音声ガイダンスが出力されない場合には、発信準備期間の経過後に送信先へ発信を行うことができるので、音声ガイダンスを必要としないユーザにとって、発信が開始されるのが遅くなることによる煩わしさを低減することができる。
【発明を実施するための最良の形態】
【００１６】
図１は、本発明の実施の形態によるファクシミリ装置１の一例を示したブロック図である。このファクシミリ装置１は、原稿画像の送受信を行うためのファクシミリ機構部１Ａと、音声を出力するための音声出力機構部１Ｂとを備えている。ファクシミリ機構部１Ａの動作はＭＰＵ(Micro Processing Unit)２により制御され、音声出力機構部１Ｂの動作は、ＭＰＵ１０２により制御される。ＭＰＵ２及びＭＰＵ１０２は、シリアル信号線１Ｃを介して接続されている。
【００１７】
ファクシミリ機構部１Ａには、ＭＰＵ２にバス３を介して接続されたＲＯＭ(Read Only Memory)４、ＳＲＡＭ(Static Random Access Memory)５、ＮＣＵ(Network Control Unit)６、モデム７、コーデック８、画像信号処理回路９、メモリコントローラ１０、メモリコントローラ１１、プリント画像処理回路１２、プリンタ機構制御回路１３、表示部１４、操作部１５及びＬＡＮ(Local Area Network)インターフェース１６が備えられている。
【００１８】
画像信号処理回路９は、ＣＣＤ(Charge Coupled Device)１７の出力信号に基づいて画像データを生成する回路であり、生成された画像データは、送信画像データとしてコーデック８へ出力される。ＣＣＤ１７は、原稿画像を光学的に読み取るための原稿読取手段であり、原稿に向けて照射された光の反射光を受光し、その受光量に応じた電気信号を出力する。画像信号処理回路９は、この電気信号に基づいて、ピクセルごとの輝度情報又は色情報で構成されるビットマップデータとして送信画像データを生成している。
【００１９】
コーデック８は、ランレングス法やハフマン符号化法などを用いて、画像データを圧縮又は伸張する処理を行う。画像信号処理回路９からコーデック８に入力された送信画像データは、当該コーデック８により原稿１ページ分ごとに圧縮処理が行われ、メモリコントローラ１０を介してＳＤＲＡＭ(Synchronous Dynamic Random Access Memory)からなる画像メモリ１８に格納される。
【００２０】
ＮＣＵ６は、電話回線などの公衆通信回線（不図示）への接続制御を行っている。当該ファクシミリ装置１がファクシミリ送信を行う場合、ＮＣＵ６が、公衆通信回線へ発呼信号を送出し、更に送信先の電話番号を含む選択信号を送出することによって発呼が行われ、相手方のファクシミリ装置との接続状態が確立される。この接続状態は、ファクシミリ送信の終了後にＮＣＵ６によって切断される。一方、ファクシミリ受信を行う場合には、公衆通信回線からの呼出信号に応じて、ＮＣＵ６が回線を接続することにより、相手方のファクシミリ装置との接続状態が確立される。
【００２１】
画像メモリ１８に格納された送信画像データは、ファクシミリ送信時にメモリコントローラ１０により読み出される。読み出された送信画像データは、モデム７により音声信号に変調され、ＮＣＵ６から公衆通信回線を介して相手方のファクシミリ装置へ送信される。つまり、ＮＣＵ６及びモデム７は、ユーザの送信操作に基づいて送信画像データをファクシミリ送信するファクシミリ送信手段である。
【００２２】
一方、ファクシミリ受信時には、相手方のファクシミリ装置から送出された音声信号を公衆通信回線を介してＮＣＵ６が受信する。ＮＣＵ６で受信された音声信号は、モデム７によって復調され、受信画像データとして画像メモリ１８に格納される。
【００２３】
画像メモリ１８に格納された受信画像データは、メモリコントローラ１０により１ページ分の画像データごとに読み出される。これらの画像データは、コーデック８で伸張され、メモリコントローラ１１を介してページメモリ１９に格納される。ページメモリ１９は、ＳＤＲＡＭからなり、ページごとのビットマップデータに展開された受信画像データを保持している。
【００２４】
メモリコントローラ１１によってページメモリ１９から読み出された受信画像データは、１ページごとにプリント画像処理回路１２へ出力される。プリント画像処理回路１２は、入力された各ページの受信画像データを複数ラインのラインデータに分割し、受信画像データを１ラインごとにＬＥＤ(Light Emitting Diode)プリントヘッド２０へ出力する。ＬＥＤプリントヘッド２０は、多数のＬＥＤをライン状に配列したＬＥＤアレイを備えており、受信画像データに基づく光を１ラインごとに照射する。
【００２５】
プリンタ機構制御回路１３は、感光体ドラム２１、帯電器２２、現像装置２３、転写装置２４及び定着装置２５などからなるプリンタ機構の動作を制御する。感光体ドラム２１は、表面に感光体層が形成された円筒状のドラムからなり、印刷時には、感光体ドラム２１の表面が帯電器２２により一様に帯電される。この帯電された感光体ドラム２１の表面に、受信画像データに基づく光がＬＥＤプリントヘッド２０から照射されることにより、感光体ドラム２１の表面に静電潜像が形成される。
【００２６】
現像装置２３は、静電潜像が形成された感光体ドラム２１の表面にトナーを付着させることにより、当該表面にトナー像を形成させる。感光体ドラム２１の表面に形成されたトナー像は、転写装置２４により、用紙収容部（不図示）から送り出された用紙に転写される。このようにしてトナー像が転写された用紙に対して、定着装置２５により加熱処理及び加圧処理が施されることにより、受信画像データに基づく画像が用紙上に形成される。
【００２７】
表示部１４は、ＬＣＤ(Liquid Crystal Display)からなり、表示画面に各種の表示を行うことができる。操作部１５には、原稿画像の送信操作を行うためのスターキー１５Ａ、送信操作を取り消すためのストップキー１５Ｂ、送信先の電話番号を直接入力する際などに数字を入力するためのテンキー１５Ｃ、及び、送信先の電話番号を読み出すための複数のワンタッチダイヤルキー１５Ｄが含まれる。
【００２８】
ＬＡＮインターフェース１６は、ＬＡＮ（不図示）に対する信号の入出力を制御している。このファクシミリ装置１は、ＣＣＤ１７で読み取った原稿の画像データをＬＡＮを介して他の端末装置へ送信することができる。また、他の端末装置からＬＡＮを介して受信した画像データに基づいて、プリンタ機構で用紙の画像を印刷することができる。つまり、ファクシミリ装置１は、ネットワーク接続されたスキャナ装置やプリンタ装置として機能させることもできる。
【００２９】
ＲＯＭ４は、文字データ記憶部４Ａとして使用される。文字データ記憶部４Ａには、平仮名、片仮名、漢字及び英数字などの文字形状を表す文字情報が記憶されており、これらの文字情報は文字コードにそれぞれ対応付けられている。
【００３０】
ＳＲＡＭ５は、ワンタッチダイヤルリスト記憶部５Ａとして使用される。ワンタッチダイヤルリスト記憶部５Ａは、電話番号及び宛先名をワンタッチダイヤルキー１５Ｄに対応付けて記憶しており、ファクシミリ送信時にユーザがワンタッチダイヤルキー１５Ｄを操作すれば、当該ワンタッチダイヤルキー１５Ｄに対応する電話番号がワンタッチダイヤルリスト記憶部５Ａから読み出され、送信先として指定される。なお、上記電話番号は、送信先となり得る電話番号であり、上記宛先名は、１又は２以上の文字コードで表現された文字列である。
【００３１】
音声出力機構部１Ｂには、ＭＰＵ１０２にバス１０３を介して接続されたＲＯＭ１０４、ＲＡＭ１０５、音声信号生成部１０６、ＡＦ(Audio Frequency)増幅回路１０７及びスピーカ１０８が備えられている。ＲＯＭ１０４は、音声データ記憶部１０４Ａとして使用される。音声データ記憶部１０４Ａには、各文字コードに音声データが対応付けて記憶されている。ＲＡＭ１０５には、音声出力制御時に必要なデータが書き込まれる。
【００３２】
音声信号生成部１０６は、音声データ記憶部１０４Ａから音声データを読み出し、音声信号に変換して出力する。音声信号生成部１０６から出力された音声信号は、ＡＦ増幅回路１０７により増幅され、音声信号に基づく音声がスピーカ１０８から出力される。したがって、文字コードに基づいて音声データ記憶部４Ａから音声データを読み出すことにより、文字コードに対応する音声をスピーカ１０８から出力することができる。
【００３３】
図２は、ファクシミリ装置１のファクシミリ送信制御部４０の一構成例を示した機能ブロック図である。ファクシミリ送信制御部４０は、スタートキー１５Ａの操作に基づいて、原稿画像を読み取りファクシミリ送信するための制御を行うとともに、テンキー１５Ｃの操作の有無に応じてスピーカ１０８から音声を出力するための制御を行う。
【００３４】
ファクシミリ送信制御部４０は、電話番号指定部４１、読取制御部４２、発信制御部４３、ガイダンス選択部４４、音声出力制御部４５及び音声ガイダンス生成部４６によって構成される。ここでは、電話番号指定部４１、読取制御部４２、発信制御部４３及びガイダンス選択部４４が、ファクシミリ機構部１ＡのＭＰＵ２により実行されるコンピュータプログラムとして実現されるものとし、音声出力制御部４５及び音声ガイダンス生成部４６が、音声出力機構部１ＢのＭＰＵ１０２により実行されるコンピュータプログラムとして実現されるものとする。
【００３５】
ユーザが複数のワンタッチダイヤルキー１５Ｄのいずれかを操作すると、電話番号指定部４１が、そのワンタッチダイヤルキー１５Ｄに対応する電話番号をワンタッチダイヤルリスト記憶部５Ａから読み出し、送信先として指定する。電話番号指定部４１により電話番号が指定された後、ユーザがスタートキー１５Ａを操作すると、読取制御部４２が、ＣＣＤ１７で原稿画像を読み取るための制御を行う。
【００３６】
このファクシミリ装置１には、原稿を１ページずつ送り出すための自動原稿送出装置（不図示）が備えられており、この自動原稿送出装置に複数ページの原稿をセットしてスタートキー１５Ａを操作すれば、原稿画像を１ページずつＣＣＤ１７に読み取らせることができる。読取制御部４２は、各ページの原稿画像の読取が完了する度に、その旨を表す信号を発信制御部４３へ出力する。
【００３７】
本実施の形態では、スタートキー１５Ａが操作されてからファクシミリ送信が可能になるまでの期間を発信準備期間とする。この例において、発信準備期間は、スタートキー１５Ａが操作された後に１ページ目の原稿画像の読取が完了し、その画像データが圧縮されて画像メモリ１８に格納されたときに終了する。ただし、このような構成に限らず、タイマ（不図示）を用いることにより、スタートキー１５Ａが操作されてから一定時間が経過するまでの期間を発信準備期間としてもよい。
【００３８】
音声ガイダンス生成部４６は、指定された送信先の電話番号に対応する宛先名をワンタッチダイヤルリスト記憶部５Ａから読み出し、その宛先名を音声データに変換することにより音声ガイダンスを生成する。すなわち、ワンタッチダイヤルリスト記憶部５Ａから読み出された宛先名の各文字コードに基づいて、音声データ記憶部１０４Ａから対応する音声データが読み出されることにより、音声ガイダンスが生成されるようになっている。
【００３９】
音声ガイダンスを出力するかどうかは、ユーザがスタートキー１５Ａを操作する前に、テンキー１５Ｃに含まれる所定のキーを操作するか否かにより選択することができる。この例では、テンキー１５Ｃに含まれる「０」キーが操作された後にスタートキー１５Ａが操作された場合に、音声ガイダンスの出力が選択されるものとする。ガイダンス選択部４４は、スタートキー１５Ａが操作されたときに「０」キーが操作されているか否かを判別して、音声ガイダンスを出力するかどうかを選択する。音声ガイダンスを出力すると選択された場合には、ガイダンス選択部４４が、音声ガイダンスをスピーカ１０８から出力させるための音声出力指示信号を音声出力制御部４５へ出力する。ここで、「０」キーは、音声ガイダンスを出力させるか否かをユーザに選択させるためのガイダンス選択手段である。
【００４０】
ただし、「０」キーが操作されずにスタートキー１５Ａが操作された場合に音声ガイダンスを出力し、「０」キーが操作されてからスタートキー１５Ａが操作された場合には音声ガイダンスを出力しないような構成であってもよい。また、「０」キーに限らず、他のキーを用いて音声ガイダンスを出力するか否かを選択できるようになっていてもよい。
【００４１】
音声出力制御部４５は、ガイダンス選択部４４から音声出力指示信号が入力された場合に、音声ガイダンス生成部４６で生成された音声ガイダンスをスピーカ１０８から出力させるための処理を行う。音声ガイダンスは発信準備期間よりも長く設定されており、発信準備期間よりも遅く音声ガイダンスが終了するようになっている。なお、音声ガイダンスには、宛先名だけでなく、その他の文字情報が含まれていてもよい。
【００４２】
発信制御部４３は、指定されている電話番号へ発呼するための処理を行い、相手方のファクシミリ装置との接続状態が確立されれば、画像メモリ１８に記憶されている画像データを発信することによりファクシミリ送信を行う。ここで、音声ガイダンスの出力中は、ファクシミリ送信を禁止する旨の信号が音声出力制御部４５から発信制御部４３へ入力され、音声ガイダンスの出力が終了すれば、ファクシミリ送信を許可する旨の信号が音声出力制御部４５から発信制御部４３へ入力されるようになっている。
【００４３】
したがって、音声ガイダンスを出力させると選択されている場合には、読取制御部４２から読取完了の信号を受信した後、音声ガイダンスの出力が終了してから、発信制御部４３によるファクシミリ送信が開始される。一方、音声ガイダンスを出力させないと選択されている場合には、発信準備期間の経過後にファクシミリ送信が行われる。
【００４４】
図３及び図４は、ファクシミリ送信を行う際のＭＰＵ２，１０２による処理の一例を示したフローチャートである。ワンタッチダイヤルキー１５Ｄが操作されることにより送信先が選択されると、電話番号指定部４１が対応する電話番号をワンタッチダイヤルリスト記憶部５Ａから読み出すことにより、送信先の電話番号が指定される（ステップＳ１０１）。このとき、文字データ記憶部４Ａに記憶されている文字情報に基づいて、ワンタッチダイヤルリスト記憶部５Ａに記憶されている宛先名が文字列として表示部１４に表示される。
【００４５】
その後、ユーザによりスタートキー１５Ａが操作されると（ステップＳ１０２でＹｅｓ）、読取制御部４２により原稿の読取が開始される（ステップＳ１０３）。このとき、テンキー１５Ｃに含まれる「０」キーが操作された後にスタートキー１５Ａが操作されているか否かがガイダンス選択部４４により判別され、その判別結果によって、その後の処理が異なるようになっている（ステップＳ１０４）。
【００４６】
「０」キーが操作された後にスタートキー１５Ａが操作されている場合には（ステップＳ１０４でＹｅｓ）、指定された電話番号に対応する宛先名がワンタッチダイヤルリスト記憶部５Ａに記憶されていれば（ステップＳ１０５でＹｅｓ）、音声ガイダンス生成部４６が、その宛先名を音声データに変換することにより音声ガイダンスを生成する（ステップＳ１０９）。そして、生成された音声ガイダンスが、音声出力制御部４５によりスピーカ１０８から出力開始される（ステップＳ１１０）。
【００４７】
その後、ストップキー１５Ｂが操作されることなく音声ガイダンスが終了すれば（ステップＳ１１２でＹｅｓ）、発信制御部４３が指定された電話番号へ発信を行うことにより、ファクシミリ送信が開始される（ステップＳ１１３）。ここで、音声ガイダンスが終了したときには、１ページ目の原稿画像の読取が既に完了し、発信準備期間が終了しており、ファクシミリ送信が可能な状態となっている。
【００４８】
一方、音声ガイダンスの出力中にストップキー１５Ｂが操作された場合には（ステップＳ１１１でＹｅｓ）、音声ガイダンスが停止され、指定された電話番号へのファクシミリ送信が中止される。ストップキー１５Ｂは、スタートキー１５Ａによる送信操作を取り消すための発信キャンセル手段である。
【００４９】
指定された電話番号に対応する宛先名がワンタッチダイヤルリスト記憶部５Ａに記憶されていなければ（ステップＳ１０５でＮｏ）、宛先名を入力するか否かを確認するための入力確認画面が表示部１４に表示される。この入力確認画面において、ユーザが宛先名の入力を指示する操作を行った場合には（ステップＳ１０６でＹｅｓ）、宛先名を入力するための宛先名入力画面が表示部１４に表示される（ステップＳ１０７）。
【００５０】
図５は、宛先名を入力する際に表示部１４に表示される表示画面の一例を示した図であり、（ａ）は入力確認画面、（ｂ）は宛先名入力画面を示している。図５（ａ）に示した入力確認画面において、宛先名の入力を指示する「はい」が選択されると、図５（ｂ）に示すような宛先名入力画面が表示部１４に表示される。この宛先名入力画面において、ユーザは、操作部１５を操作することにより宛先名を入力することができる。
【００５１】
宛先名を入力する際には、テンキー１５Ｃに仮名文字が割り当てられ、テンキー１５Ｃを操作することにより宛先名を仮名入力することができる。仮名入力された宛先名をワンタッチダイヤルリスト記憶部５Ａに記憶することにより、各仮名文字に対応する文字コードに基づいて音声データ記憶部１０４Ａから音声データを読み出し、音声ガイダンスを生成することができる。
【００５２】
ただし、仮名入力した宛先名を漢字に変換して、ワンタッチダイヤルリスト記憶部５Ａに記憶することができるようになっていてもよい。このような構成によれば、ワンタッチダイヤルキー１５Ｄを操作して送信先を指定すると、対応する宛先名が漢字で表示部１４に表示される。この場合には、仮名入力したときの仮名文字情報をワンタッチダイヤルリスト記憶部５Ａに記憶しておき、仮名文字情報に対応する各文字コードに基づいて音声データ記憶部１０４Ａから音声データを読み出すことにより、音声ガイダンスを生成すればよい。
【００５３】
宛先名の入力が終了すると（ステップＳ１０８でＹｅｓ）、音声ガイダンス生成部４６が、その宛先名に基づいて音声ガイダンスを生成し（ステップＳ１０９）、生成された音声ガイダンスが、音声出力制御部４５によりスピーカ１０８から出力開始される（ステップＳ１１０）。その後の処理は、上述したステップＳ１１１〜Ｓ１１３の処理と同様である。
【００５４】
これに対して、図５（ａ）に示した入力確認画面で、宛先名の非入力を指示する「いいえ」が選択された場合には（ステップＳ１０６でＮｏ）、１ページ目の原稿画像の読取が完了して発信準備期間が終了した後（ステップＳ１１４でＹｅｓ）、発信制御部４３が指定された電話番号へ発信を行うことにより、ファクシミリ送信が開始される（ステップＳ１１３）。
【００５５】
また、「０」キーが操作されずにスタートキー１５Ａが操作されている場合にも（ステップＳ１０４でＮｏ）、読取制御部４２により原稿の読取が開始された後、１ページ目の原稿画像の読取が完了して発信準備期間が終了した時点で（ステップＳ１１４でＹｅｓ）、発信制御部４３が指定された電話番号へ発信を行うことにより、ファクシミリ送信が開始される（ステップＳ１１３）。
【００５６】
本実施の形態では、音声ガイダンスが出力される場合と出力されない場合とで、送信先へ発信を行うタイミングを異ならせることができる。音声ガイダンスが出力される場合には、音声ガイダンスの出力終了後に発信が行われるので、音声ガイダンスにより送信先を確認することができる。これにより、送信先の誤りに気付いた場合には、ストップキー１５Ｂを操作して発信指示を取り消すことにより、誤送信を防止することができる。
【００５７】
また、音声ガイダンスが出力されない場合には、発信準備期間の経過後に送信先へ発信を行うことができる。これにより、音声ガイダンスが出力される場合よりも早期に発信を開始させることができるので、音声ガイダンスを必要としないユーザにとって、発信が開始されるのが遅くなることによる煩わしさを低減することができる。
【００５８】
また、音声ガイダンスとして出力すべき宛先名がワンタッチダイヤルリスト記憶部５Ａに記憶されていない場合には、宛先名入力画面でユーザに宛先名を入力させることができる。これにより、ユーザは、送信先として指定した電話番号に対応付けて宛先名を入力することができ、電話番号と宛先名との対応関係を確認することができるので、誤送信をより確実に防止することができる。
【００５９】
特に、ユーザが送信先に対応する宛先名を入力した場合に、その宛先名を含む音声ガイダンスが出力されるので、ユーザは入力した宛先名を確認することができる。これにより、送信先の電話番号と宛先名との対応関係を再度確認することができるので、誤送信をさらに確実に防止することができる。
【００６０】
以上の実施の形態では、ワンタッチダイヤルキー１５Ｄを操作することにより、予め記憶されている電話番号を読み出して送信先に指定するような構成について説明した。しかし、テンキー１５Ｃで電話番号を直接入力するよりも操作回数が少ないような構成であれば、例えば短縮キー（不図示）を操作した後、テンキー１５Ｃのいずれかを操作することにより電話番号を読み出すような構成であってもよい。
【図面の簡単な説明】
【００６１】
【図１】本発明の実施の形態によるファクシミリ装置の一例を示したブロック図である。
【図２】ファクシミリ装置のファクシミリ送信制御部の一構成例を示した機能ブロック図である。
【図３】ファクシミリ送信を行う際のＭＰＵによる処理の一例を示したフローチャートである。
【図４】ファクシミリ送信を行う際のＭＰＵによる処理の一例を示したフローチャートであり、図３の続きを示している。
【図５】宛先名を入力する際に表示部に表示される表示画面の一例を示した図であり、（ａ）は入力確認画面、（ｂ）は宛先名入力画面を示している。
【符号の説明】
【００６２】
１  ファクシミリ装置
１Ａ  ファクシミリ機構部
１Ｂ  音声出力機構部
２  ＭＰＵ
４Ａ  文字データ記憶部
５Ａ  ワンタッチダイヤルリスト記憶部
６  ＮＣＵ
１５Ａ  スタートキー
１５Ｂ  ストップキー
１５Ｃ  テンキー
１５Ｄ  ワンタッチダイヤルキー
４０  ファクシミリ送信制御部
４１  電話番号指定部
４２  読取制御部
４３  発信制御部
４４  ガイダンス選択部
４５  音声出力制御部
４６  音声ガイダンス生成部
１０２  ＭＰＵ
１０４Ａ  音声データ記憶部
１０８  スピーカ
【図１】
2008022183.tif 000003
【図２】
2008022183.tif 000004
【図３】
2008022183.tif 000005
【図４】
2008022183.tif 000006
【図５】
2008022183.tif 000007